(57)【要約】【課題】どのリムーバブルメディアにどのようなタイトルがダビングされているかをユーザが把握でき、ユーザによるリムーバブルメディアの管理を容易とするダビング装置を提供する。【解決手段】タイトルが記録される固定型記録媒体を備え、前記固定型記録媒体からリムーバブルメディアにタイトルをダビングするダビング装置において、ダビングされたリムーバブルメディア個々を識別する識別情報と、ダビングされたタイトルに関する情報とを対応させて表示部に一覧表示させる表示信号を生成する表示信号生成部を備えた。【選択図】図１
2011159342.tif 000002
【特許請求の範囲】
【請求項１】
タイトルが記録される固定型記録媒体を備え、前記固定型記録媒体からリムーバブルメディアにタイトルをダビングするダビング装置において、
ダビングされたリムーバブルメディア個々を識別する識別情報と、ダビングされたタイトルに関する情報とを対応させて表示部に一覧表示させる表示信号を生成する表示信号生成部を備えたことを特徴とするダビング装置。
【請求項２】
前記表示信号は、ダビングされたリムーバブルメディアの種類、ダビングされたリムーバブルメディアの空き容量、ダビングされたリムーバブルメディアのファイナライズ有無、操作部により入力されたコメントの少なくともいずれかを前記識別情報と対応させて前記表示部に一覧表示させる表示信号であることを特徴とする請求項１に記載のダビング装置。
【請求項３】
前記表示信号生成部は、操作部の操作に応じて、前記識別情報または前記ダビングされたタイトルに関する情報に基づいた一覧表示の並び替え表示を前記表示部にさせる表示信号を生成することを特徴とする請求項１または請求項２に記載のダビング装置。
【請求項４】
前記表示信号生成部は、操作部の操作に応じて、前記ダビングされたリムーバブルメディアの種類、前記ダビングされたリムーバブルメディアの空き容量、前記ダビングされたリムーバブルメディアのファイナライズ有無のいずれかに基づいた一覧表示の並び替え表示を前記表示部にさせる表示信号を生成することを特徴とする請求項２に記載のダビング装置。
【請求項５】
前記表示信号生成部は、一覧表示のうち、操作部により入力されたキーワードが含まれる前記コメントについてのみ前記表示部に一覧表示させる表示信号を生成することを特徴とする請求項２に記載のダビング装置。
【請求項６】
前記ダビングされたタイトルに関する情報は、タイトル名、ダビング時の録画モード、タイトルのトータル時間である録画時間、ダビング元のタイトルが録画された日である録画日、ダビング日の少なくともいずれかであることを特徴とする請求項１〜請求項５のいずれかに記載のダビング装置。
【発明の詳細な説明】
【技術分野】
【０００１】
本発明は、固定型記録媒体からリムーバブルメディアへタイトルをダビングするダビング装置に関する。
【背景技術】
【０００２】
昨今、ハードディスク付きＢＤ（Blu-ray Disc）レコーダのような複合型の録画装置が普及している。例えば、ハードディスク付きＢＤレコーダは、放送番組を一旦大容量であるハードディスクに録画して、必要なタイトルのみを後でＢＤやＤＶＤにダビングするといった使い方がされる。
【０００３】
このようなダビング可能な録画装置として、例えば、特許文献１に、ダビング済みのタイトルのタイトル名を表示装置に一覧表示させ、その際に、タイトル名毎にダビング日時、ダビング先メディア並びにダビング実行者名も表示させることができる録画装置が開示されている。これにより、ダビング履歴をユーザが容易に確認できる。
【先行技術文献】
【特許文献】
【０００４】
【特許文献１】特開２００７−２３４１４３号公報（段落００３７、第８図）
【発明の概要】
【発明が解決しようとする課題】
【０００５】
ここで、ダビングした際にダビング先のリムーバブルディスクのラベルやケースにタイトル名などを付すことはユーザにとって面倒であり、タイトル名などを付していない場合が多い。この場合、上記特許文献１の録画装置が表示させるダビング履歴画面では、ユーザは、ダビング先メディアが例えばＤＶＤであると分かるだけで、どのディスクにタイトルをダビングしたかは分からないので、どのディスクにどのようなタイトルが記録されているかが分からない。
【０００６】
上記問題点を鑑み、本発明は、どのリムーバブルメディアにどのようなタイトルがダビングされているかをユーザが把握でき、ユーザによるリムーバブルメディアの管理を容易とするダビング装置を提供することを目的とする。
【課題を解決するための手段】
【０００７】
上記目的を達成するために本発明は、タイトルが記録される固定型記録媒体を備え、前記固定型記録媒体からリムーバブルメディアにタイトルをダビングするダビング装置において、ダビングされたリムーバブルメディア個々を識別する識別情報と、ダビングされたタイトルに関する情報とを対応させて表示部に一覧表示させる表示信号を生成する表示信号生成部を備えた構成とする（第１の構成）。
【０００８】
このような構成によれば、リムーバブルメディアやそのケースなどに識別情報を付しておきさえすれば、ユーザは一覧表示を見ることで、どのリムーバブルメディアにどのようなタイトルがダビングされているかを把握できるので、ユーザによるリムーバブルメディアの管理が容易となる。
【０００９】
また、上記第１の構成において、前記表示信号は、ダビングされたリムーバブルメディアの種類、ダビングされたリムーバブルメディアの空き容量、ダビングされたリムーバブルメディアのファイナライズ有無、操作部により入力されたコメントの少なくともいずれかを前記識別情報と対応させて前記表示部に一覧表示させる表示信号であるようにしてもよい（第２の構成）。
【００１０】
このような構成によれば、ユーザは、各リムーバブルメディアの種類、空き容量、ファイナライズ状態を把握でき、また、ユーザが操作部により入力したコメントによりリムーバブルディスクの管理をし易くできる。
【００１１】
また、上記第１の構成または第２の構成において、前記表示信号生成部は、操作部の操作に応じて、前記識別情報または前記ダビングされたタイトルに関する情報に基づいた一覧表示の並び替え表示を前記表示部にさせる表示信号を生成するようにしてもよい（第３の構成）。
【００１２】
このような構成によれば、ユーザは所望する形式で一覧表示を見ることができる。
【００１３】
また、上記第２の構成において、前記表示信号生成部は、操作部の操作に応じて、前記ダビングされたリムーバブルメディアの種類、前記ダビングされたリムーバブルメディアの空き容量、前記ダビングされたリムーバブルメディアのファイナライズ有無のいずれかに基づいた一覧表示の並び替え表示を前記表示部にさせる表示信号を生成するようにしてもよい（第４の構成）。
【００１４】
このような構成によれば、ユーザは所望する形式で一覧表示を見ることができる。
【００１５】
また、上記第２の構成において、前記表示信号生成部は、一覧表示のうち、操作部により入力されたキーワードが含まれる前記コメントについてのみ前記表示部に一覧表示させる表示信号を生成するようにしてもよい（第５の構成）。
【００１６】
このような構成によれば、ユーザが操作部によりキーワードを入力することで、所望のリムーバブルメディアを検索することができる。
【００１７】
また、上記第１〜第５のいずれかの構成において、前記ダビングされたタイトルに関する情報は、タイトル名、ダビング時の録画モード、タイトルのトータル時間である録画時間、ダビング元のタイトルが録画された日である録画日、ダビング日の少なくともいずれかであるようにしてもよい（第６の構成）。
【発明の効果】
【００１８】
本発明のダビング装置によれば、どのリムーバブルメディアにどのようなタイトルがダビングされているかをユーザが把握でき、ユーザによるリムーバブルメディアの管理を容易とする。
【図面の簡単な説明】
【００１９】
【図１】本発明に係る記録再生装置の概略構成を示すブロック図である。
【図２】ハードディスクに記録されるディスクタイトルリスト情報の一例を示す図である。
【図３】ディスクタイトルリスト表示の一例を示す図である。
【図４】ディスクタイトルリストにおいてサブメニュー表示がされた状態の一例を示す図である。
【図５】サブメニューから並び替えが選択された状態の一例を示す図である。
【図６Ａ】ＨＤＤ録画リスト表示の一例を示す図である。
【図６Ｂ】ＨＤＤ録画リストにおいてサブメニュー表示がされた状態の一例を示す図である。
【図６Ｃ】録画モード選択画面の一例を示す図である。
【図６Ｄ】ダビング先ディスク選択画面の一例を示す図である。
【図７】ダビング先ディスク選択画面で既存ディスクが選択された場合に表示される画面の一例を示す図である。
【発明を実施するための形態】
【００２０】
以下に本発明の実施形態を図面を参照して説明する。
【００２１】
図１は、本発明に係るダビング装置の一例としての記録再生装置１０のブロック図である。記録再生装置１０は、ハードディスクレコーダと光ディスクレコーダの機能を有する複合型のデジタルＡＶ機器である。図１に示すように、記録再生装置１０は、制御部１と、メモリ２と、信号処理部３と、チューナ４と、ＨＤＤ（Hard Disk Drive）５と、光ディスクドライブ６と、表示部７と、操作部８と、リモコン受信部９と、を備えており、チューナ４にはアンテナ１２が接続され、信号処理部３にはテレビ３０が接続される。
【００２２】
制御部１は、ＣＰＵとＲＯＭやＲＡＭ等のメモリとタイマ等から構成されている。メモリ２は、ＲＯＭ、ＲＡＭ、および不揮発性メモリ等から構成されている。制御部１は、内蔵するメモリとメモリ２に記憶されたプログラムとデータに基づいて、記録再生装置１０の各部を制御する。また、制御部１は、内蔵するタイマにより日時をカウントする。
【００２３】
信号処理部３は、ＭＰＥＧ（Moving Picture Experts Group）符号化・復号回路およびデジタル・アナログ変換回路等から構成されている。チューナ４は、放送局から放送されたデジタル放送の放送電波をアンテナ１２を介して受信する回路や復調回路等から構成されている。チューナ４は、受信した放送電波から各チャンネルの放送番組の映像音声情報を抽出して、信号処理部３へ出力する。信号処理部３は、チューナ４から入力された映像音声情報を処理して、アナログの映像信号と音声信号を生成し、テレビ（テレビジョン受像機）３０へ出力する。また、信号処理部３は、ＯＳＤ（On Screen Display）機能によりアナログの映像信号を生成しテレビ３０へ出力もする。
【００２４】
ＨＤＤ（Hard Disk Drive）５は、内蔵するハードディスク（固定型記録媒体）に対して映像音声情報等を読み書きする。光ディスクドライブ６は、ＢＤやＤＶＤである光ディスク２０（リムーバブルメディア）に対して映像音声情報等を読み書きする。制御部１は、ＨＤＤ５、光ディスク２０に対する情報の読み書きと削除を制御する。ＨＤＤ５、光ディスクドライブ６は、記録再生装置１０の本体に内蔵されている。
【００２５】
信号処理部３は、制御部１の指示により、チューナ４が出力する映像音声情報をハイビジョン画質のまま、あるいは標準画質に変換してＨＤＤ５に送り、ＨＤＤ５は、送られた映像音声情報をタイトルとしてハードディスクに記録させる。
【００２６】
また、信号処理部３は、ＨＤＤ５がハードディスクから読み出した映像音声情報を、ハイビジョン画質または標準画質のまま、あるいはハイビジョン画質から標準画質に変換して光ディスクドライブ６に送り、光ディスクドライブ６は、送られた映像音声情報を光ディスク２０に記録させることで、タイトルのダビングが行われる。
【００２７】
また、ＨＤＤ５がハードディスクから読み出した映像音声情報、および光ディスクドライブ６が光ディスク２０から読み出した映像音声情報を信号処理部３が処理してアナログの映像信号および音声信号を生成し、生成された映像信号および音声信号をテレビ３０に出力する。
【００２８】
テレビ３０は、信号処理部３から入力された映像信号に基づく映像をディスプレイに表示し、信号処理部３から入力された音声信号に基づく音声をスピーカから出力する。表示部７には、記録再生装置１０の動作状態や時間等が表示される。操作部８は、記録再生装置１０の本体前面に設けられた各種のキー等から構成されている。リモコン（リモートコントローラ）１１には、各種のキーが設けられている。リモコン受信部９は、リモコン１１から送信された信号を受信する。リモコン１１や操作部８のキーを操作することで、記録再生装置１０に各種の動作指示をすることができる。
【００２９】
次に、本発明の主な特徴となる、光ディスクの管理を容易とするディスクタイトルリスト表示に関して以下説明する。
【００３０】
ＨＤＤ５に内蔵されるハードディスクには、ディスクタイトルリスト表示用のデータであるディスクタイトルリスト情報が記録されるための領域が確保されており、図２に、ディスクタイトルリスト情報の一例を示す。このディスクタイトルリスト情報は、光ディスク２０へのダビングが行われるたびに更新されるものである。なお、ディスクタイトルリスト情報の更新については後述する。
【００３１】
図２に示すように、ディスクタイトルリスト情報は、管理ナンバー情報、ディスクタイプ情報、空き容量情報、ユーザコメント情報、ファイナライズ情報、タイトル名情報、録画モード情報、録画時間情報、録画日情報、ダビング日情報から構成される。
【００３２】
管理ナンバー情報は、ダビングした光ディスク２０を連番により管理するためのものである。ディスクタイプ情報は、ダビングした光ディスク２０の種類を表し、ＢＤ−ＲＥ、ＢＤ−Ｒ、ＤＶＤ−ＲＡＭ、ＤＶＤ−Ｒ、ＤＶＤ−Ｒ  ＤＬ、ＤＶＤ−ＲＷのいずれかとなる。空き容量情報は、ダビングした光ディスク２０の空き容量を示す。
【００３３】
ユーザコメント情報は、ユーザにより書き込まれるコメントの情報であり、書き込まれる前は空白となっている。ファイナライズ情報は、ダビングした光ディスク２０がファイナライズ済みであるか否かを表す。
【００３４】
タイトル名情報は、光ディスク２０にダビングしたタイトルのタイトル名を表す。また、録画モード情報は、光ディスク２０へのダビング時の録画モードを表し、ＤＲ、ＨＧ、ＨＸ、ＨＥ、ＨＬ、ＨＭ、ＸＰ、ＳＰ、ＬＰ、ＥＰのいずれかとなる。ＤＲは、データ圧縮されていないハイビジョン画質での録画を表す。ＨＧ、ＨＸ、ＨＥ、ＨＬ、ＨＭは、データ圧縮されたハイビジョン画質での録画を表し、この順に高画質となる。また、ＸＰ、ＳＰ、ＬＰ、ＥＰは、標準画質での録画を表し、この順に高画質となる。
【００３５】
録画時間情報は、光ディスク２０にダビングされたタイトルのトータル時間を表す。録画日情報は、光ディスク２０にダビングされたタイトルのダビング元であるタイトルがＨＤＤ５に録画された日付を表す。また、ダビング日情報は、光ディスク２０にタイトルがダビングされた日付を表す。
【００３６】
このようなＨＤＤ５のハードディスクに記録されたディスクタイトルリスト情報に基づきディスクタイトルリスト表示が行われる。まず、リモコン１１のメニュー画面表示操作により、制御部１が信号処理部３に指示を行い、信号処理部３がＯＳＤ機能によりテレビ３０にメニュー画面を表示させる。このメニュー画面においてリモコン１１の操作によりディスクタイトルリスト表示が選択されると、制御部１は、ＨＤＤ５がハードディスクから読み出したディスクタイトルリスト情報に基づき信号処理部３に指示を行い、信号処理部３は、ＯＳＤ機能によりテレビ３０にディスクタイトルリストを表示させる。
【００３７】
図３に、ディスクタイトルリスト表示の一例を示す。ディスクタイトルリスト表示においては、ディスクタイプ、ファイナライズ有無、タイトル名、録画モード、録画時間、録画日、ダビング日、空き容量、ユーザコメント（ユーザコメント情報が空白の場合は表示されない）が管理ナンバー毎に表示される。なお、一画面に入りきらない場合は、リモコン１１の操作によりスクロール表示が可能である。
【００３８】
光ディスク２０のラベルやケースにタイトル名等を付さずとも、管理ナンバーさえ付しておけば、このようなディスクタイトルリスト表示を見ることで、光ディスク２０にどのようなタイトルがダビングされているかをユーザは把握することができる。また、光ディスク２０の種類、ファイナライズ有無、空き容量についても把握できる。
【００３９】
また、管理ナンバーは、リモコン１１の操作により選択可能となっている（図３は、ナンバー２が選択された状態）。いずれかの管理ナンバーが選択された状態で、リモコン１１のサブメニューキーが操作されると、信号処理部３のＯＳＤ機能により、ディスクタイトルリスト表示に重畳されてサブメニューがテレビ３０に表示される。図４に、サブメニューが表示された状態の一例を示す。
【００４０】
そして、サブメニューから「コメント編集」をリモコン１１の操作により選択すると、コメント入力画面が表示され、ここでリモコン１１の操作によりコメントが入力され決定されると、ＨＤＤ５に記録されたディスクタイトルリスト情報のうち選択された管理ナンバーに対応するユーザコメント情報が、入力されたコメント内容に更新される。そして、更新されたディスクタイトルリスト情報に基づきディスクタイトルリスト表示がされ、選択された管理ナンバーに対応するユーザコメント欄の表示が更新される。このように、ユーザは、ユーザコメント欄に所望のコメントを入力することができる。
【００４１】
また、図４に示すように、サブメニューには「並び替え」といった項目も設けられ、リモコン１１の操作により「並び替え」が選択されると、図５に示すように、さらに「ＤｉｓｃＮｏ．順」、「ＤｉｓｃＴＹＰＥ別」、「ファイナライズ別」、「録画日時順」、「ダビング日順」、「Ｄｉｓｃ空き容量順」といった項目が表示される。ここで、いずれかの項目がリモコン１１の操作により選択されると、制御部１が信号処理部３に指示を行い、信号処理部３のＯＳＤ機能により、選択された項目に応じた並び替えがされた状態のディスクタイトルリスト表示がされる。
【００４２】
「ＤｉｓｃＮｏ．順」が選択されると、管理ナンバーが昇順で並ぶような並び替えが、「ＤｉｓｃＴＹＰＥ別」が選択されると、ディスクタイプ別による並び替えが、「ファイナライズ別」が選択されると、ファイナライズ有無の別による並び替えがされる。
【００４３】
「録画日順」が選択されると、録画日が時間的に遅いものから順に並ぶような並び替えがされる。ここで、録画日とは、同じ管理ナンバーに対応する録画日が複数の場合、その中で最も時間的に早い録画日とする。
【００４４】
「ダビング日順」が選択されると、ダビング日が時間的に遅いものから順に並ぶような並び替えがされる。ここで、ダビング日とは、同じ管理ナンバーに対応するダビング日が複数の場合、その中で最も時間的に早いダビング日とする。
【００４５】
また、「Ｄｉｓｃ空き容量順」が選択されると、空き容量が大きいものから順に並ぶような並び替えがされる。
【００４６】
このような並び替え表示により、ユーザが所望する形式でディスクタイトルリスト表示でき、光ディスクの管理に役立てることができる。
【００４７】
また、図４に示すように、サブメニューには「キーワード検索」といった項目も設けられる。リモコン１１の操作により「キーワード検索」が選択されると、キーワード入力画面が表示され、ここでリモコン１１の操作によりキーワードが入力され決定されると、制御部１が信号処理部３に指示を行い、信号処理部３のＯＳＤ機能により、入力されたキーワードがユーザコメントに含まれる管理ナンバーについてのみディスクタイトルリスト表示がされる。これにより、ユーザは所望する光ディスクを容易に見つけ出すことができる。
【００４８】
次に、ディスクタイトルリスト情報の更新について説明する。
【００４９】
ここで、ＨＤＤ５のハードディスクには、録画されたタイトル（放送番組の映像音声）と共に、タイトル名、録画日、録画チャンネル、録画開始時刻、録画時間、録画モードが対応付けられて記録される。リモコン１１でＨＤＤ録画リスト表示操作がされると、このようなハードディスクに記録された情報に基づき、制御部１は信号処理部３に指示を行い、信号処理部３はＯＳＤ機能により、ＨＤＤ録画リスト表示をテレビ３０にさせる。
【００５０】
ＨＤＤ録画リスト表示の一例を図６Ａに示す。ＨＤＤ録画リスト表示においては、タイトル名と録画日が対応付けられて一覧表示され、リモコン１１の操作によりタイトルを選択できる。そして、選択されているタイトルに対応する録画チャンネル、録画開始時刻、録画時間、録画モードが画面上方に表示される（図６Ａは、「大リーグ△××」が選択された状態）。
【００５１】
そして、いずれかのタイトルが選択された状態で、リモコン１１のサブメニューキーが操作されると、サブメニューが表示される。図６Ｂに、その一例を示す。サブメニューに表示された項目のうち「ダビング」という項目がリモコン１１の操作により選択されると、ダビングモードに移行し、録画モード選択画面が表示される。図６Ｃに、その一例を示す。
【００５２】
録画モード選択画面では、録画モードの選択候補が表示され、リモコン１１の操作により録画モードが選択されると、ダビング先ディスク選択画面が表示される。図６Ｄに、その一例を示す。ダビング先選択画面では、「既存ディスク」と「新しいディスク」という項目が表示される。ただし、ディスクタイトルリスト情報が未だ作成されていなければ、「新しいディスク」のみが表示される。
【００５３】
ここで、「新しいディスク」がリモコン１１の操作により選択されると、光ディスクドライブ６のトレイが開く。そして、ユーザが光ディスク２０をトレイに載置し、トレイを閉めると、選択されたタイトルが選択された録画モードでハードディスクから光ディスク２０にダビングされる。ダビング終了後、ファイナライズするか否かをリモコン１１により選択する画面が表示され、ファイナライズすることが選択されると、ファイナライズが実行され、一方、ファイナライズしないことが選択されると、ファイナライズは実行されない。なお、光ディスク２０の種類によってはファイナライズ選択画面は表示されない。
【００５４】
その後、制御部１により、ハードディスク上でディスクタイトルリスト情報の追加更新が行われる。ここでは、現在使用されている最大の管理ナンバーの次の管理ナンバー（ディスクタイトルリスト情報が未だ作成されていない場合は管理ナンバー１番）が追加される。そして、追加された管理ナンバーに対応付けられて、ダビングした光ディスク２０のディスクタイプおよび空き容量が追加される。また、追加された管理ナンバーに対応付けられて、空白としてのユーザコメント、ファイナライズの有無も追加される。また、追加された管理ナンバーに対応付けられて、ダビングしたタイトルのタイトル名、ダビング時の録画モード、ダビングしたタイトルのトータル時間である録画時間、ダビングしたタイトルのダビング元であるタイトルがハードディスクに録画された日付である録画日、ダビングした日付であるダビング日も追加される。
【００５５】
一方、ダビング先選択画面で「既存ディスク」が選択された場合は、制御部１は、選択されたタイトルの録画時間と選択された録画モードから録画容量を算出し、算出された録画容量から余裕のある空き容量であり、ファイナライズが未だされていない光ディスクをディスクタイトルリスト情報から検索する。そして、制御部１が信号処理部３に指示を行い、信号処理部３のＯＳＤ機能により、上記検索された光ディスクについてのディスクタイトルリスト情報がテレビ３０に一覧表示される。その一例を図７に示す。ここでは、管理ナンバー毎に一覧表示され、管理ナンバーを選択可能となっている（図７は、管理ナンバー５番が選択された状態）。
【００５６】
ここで、いずれかの管理ナンバーがリモコン１１の操作により選択されると、光ディスクドライブ６のトレイが開く。そして、ユーザが、選択した管理ナンバーの光ディスク２０をトレイに載置し、トレイを閉めると、選択されたタイトルが選択された録画モードでハードディスクから光ディスク２０にダビングされる。ダビング終了後、ファイナライズするか否かをリモコン１１により選択する画面が表示され、ファイナライズすることが選択されると、ファイナライズが実行され、一方、ファイナライズしないことが選択されると、ファイナライズは実行されない。なお、光ディスク２０の種類によってはファイナライズ選択画面は表示されない。
【００５７】
その後、制御部１により、ハードディスク上でディスクタイトルリスト情報の更新が行われる。ここでは、選択された管理ナンバーに対応する空き容量情報を更新し、ファイナライズ情報については、もしファイナライズ済みであればその旨に更新する。さらに、ダビングしたタイトルについてのタイトル名、録画モード、録画時間、録画日並びにダビング日が、選択された管理ナンバーに対応させて追加される。
【００５８】
以上本発明の実施形態について説明したが、本発明の趣旨の範囲内であれば、実施形態は様々に変更が可能である。
【００５９】
例えば、上記実施形態では、光ディスク個々を識別する情報として管理ナンバーを用いていたが、アルファベットや、アルファベットと数字の組み合わせなどを用いてもよい。
【００６０】
また、例えば、リムーバブルメディアとしては、光ディスクに限らず、メモリカードなどでもよい。また、固定型記録媒体もハードディスクに限らず、記録再生装置に内蔵されたメモリＩＣチップなどでもよい。
【符号の説明】
【００６１】
１  制御部
３  信号処理部
４  チューナ
５  ＨＤＤ
６  光ディスクドライブ
９  リモコン受信部
１０  記録再生装置
１１  リモコン
２０  光ディスク
３０  テレビ
【図１】
2011159342.tif 000003
【図２】
2011159342.tif 000004
【図３】
2011159342.tif 000005
【図４】
2011159342.tif 000006
【図５】
2011159342.tif 000007
【図６Ａ】
2011159342.tif 000008
【図６Ｂ】
2011159342.tif 000009
【図６Ｃ】
2011159342.tif 000010
【図６Ｄ】
2011159342.tif 000011
【図７】
2011159342.tif 000012